(57)【要約】【課題】ディスクの挿入時にディスク記録面の損傷を防止すると共に、対応するディスク径より小径のディスクが挿入された場合の誤挿入を防止できるようにしたディスクローディング機構を得る。【解決手段】外装体１内に配置されたターンテーブル３と対峙し、ターンテーブル３の両側に配置されてギア５ａ，５ｂを有する第１の支点軸６，６を中心に揺動し先端部がディスク挿入口２側に延出している一対の可動レバー４ａ，４ｂと、可動レバー４ａ，４ｂの両ギア５ａ，５ｂに噛み合い、引っ張りばね１１により一対の可動レバー４ａ，４ｂを接近する方向に付勢しているラック板７と、可動レバー４ａ，４ｂの先端部に有する第２の支点軸１２，１２を中心に回動し捩じりばねにより係止部２１，２２にロックする方向に付勢しているフック板１３ａ，１３ｂと、フック板１３ａ，１３ｂの第２の支点軸１２，１２を支点にして垂設され、ディスク挿入口から挿入された対応するディスクの外周部が接触するするガイド部材１５ａ，１５ｂとから構成した。【選択図】      図１
2005018846.tif 000002
【特許請求の範囲】
【請求項１】
筐体内に配置されたターンテーブルと、
上記ターンテーブルと対峙し、かつ当該ターンテーブルの両側に配置されてギアを有する第１の支点軸を中心に揺動可能で、先端部がディスク挿入口側に延出している一対の可動レバーと、
上記一対の可動レバーの両ギアに噛み合い、第１のばね部材により上記一対の可動レバーを接近する方向に付勢しているラック部と、
上記両可動レバーの先端部に有する第２の支点軸を中心に回動可能で、第２のばね部材により係止部にロックする方向に付勢しているフック部と、
上記両フック部の第２の支点軸を支点にして斜め外方側へ傾斜するように垂設され、上記ディスク挿入口から挿入された対応するディスクの外周部分が接触し上記フック部をロック解除方向へ回動するガイド部と、
から構成したことを特徴とするディスクローディング機構。
【請求項２】
請求項１記載のディスクローディング機構において、
上記ディスクローディング機構は、当該ディスクローディング機構に対応するディスク径のディスクが挿入されたとき、ディスク外周部分が上記ガイド部の外端部を押圧することで上記フック部のロックが解除されてディスクの挿入が可能となり、ディスク径の小さなディスクが挿入されたとき、そのディスク外周部分が上記ガイド部の第２の支点軸部分に接触して上記フック部が非解除となり挿入を不能にしたことを特徴とするディスクローディング機構。
【発明の詳細な説明】
【０００１】
【発明の属する技術分野】
本発明は、記録媒体がＣＤ等の光ディスクである例えば、携帯型のディスク再生装置等に用いて好適なディスクローディング機構に関し、詳しくは、ディスクローディング機構に対応しないディスク径の小さなディスクの誤挿入を防止するようにしたものである。また、ディスク挿入時あるいはディスク排出時におけるディスク記録面の他の部材との接触による損傷を防止するようにしたものである。
【０００２】
【従来の技術】
従来、上述したような携帯型のディスク再生装置に用いられるディスクローディング機構は、種々のものが提案されている。例えば、ディスク挿入口から挿入されたディスクがアームによって引き込まれると共に、ターンテーブルに接触しないようにするため、ディスク挿入口付近に備えたガイド部材の上をディスク記録面が保持されてローディング位置に装填されるようにしたディスクローディング機構がある。
【０００３】
【特許文献１】
特開平１１−２５９９４３号公報
【０００４】
【発明が解決しようとする課題】
上述したようなディスクローディング機構は、ディスクの挿入時にディスク記録面がガイド部材と接触することになるので、ディスク記録面に傷を付けてしまい情報の読み込みエラーを発生させてしまうといった問題がある。また、上述したディスクローディング機構では、例えば１２ｃｍのディスクに対応するディスク再生装置であっても、誤って未対応の８ｃｍの小径のディスクを挿入した場合でもスロットインされてしまうことである。この場合の障害としてターンテーブルやその他の構成部品でディスクに傷を付けてしまう危険性があった。
【０００５】
また、〔特許文献１〕には、ディスク挿入口へのディスクの挿入時に強制アームがディスクの挿入姿勢を水平に矯正し、ディスクを斜めに挿入してもディスクがクランパ等の内部機構に接触して引っ掛かったり、接触したりすることなくディスクの損傷を防止できるようにした技術が開示されている。
【０００６】
これによれば、ディスクの挿入時にディスク記録面がクランパ等の内部機構に接触することはないが、当該ディスクよりディスク径の異なる小径のディスクもスロットインされてしまうことである。この場合もターンテーブルやその他の構成部品でディスクに傷を付けてしまう危険性があった。
【０００７】
本発明は、上述したような課題を解消するためになされたもので、ディスクの挿入時にディスク記録面の損傷を防止すると共に、対応するディスク径とは異なる小径のディスクが誤って挿入された場合の誤挿入を防止できるようにしたディスクローディング機構を得ることを目的とする。
【０００８】
【課題を解決するための手段】
上述の目的を達成するため本発明によるディスクローディング機構は、筐体内に配置されたターンテーブルと対峙し、ターンテーブルの両側に配置されてギアを有する第１の支点軸を中心に揺動し先端部がディスク挿入口側に延出している一対の可動レバーと、可動レバーの両ギアに噛み合い、第１のばね部材により一対の可動レバーを接近する方向に付勢しているラック部と、可動レバーの先端部に有する第２の支点軸を中心に回動し第２のばね部材により係止部にロックする方向に付勢しているフック部と、フック部の第２の支点軸を支点にして垂設され、ディスク挿入口から挿入された対応するディスクの外周部分が接触しフック部をロック解除方向へ回動するガイド部とから構成したものである。
【０００９】
上述したディスクローディング機構によれば、本機構に対応するディスク径のディスクが挿入されたときは、ディスクの外周部分が一対のガイド部の先端部を押し戻すことで回動し係止部からフック部が解除されると同時に、一対の可動レバーが第１の支点軸を中心にして押し広げられるようにしてディスクが挿入されローディング位置に装填することができる。
【００１０】
また、本機構と未対応の小径のディスクが挿入された場合には、ディスクの外周部が一対のガイド部の第２の支点軸部分に接触することになり、これによって、ガイド部は回動することなく係止部からフック部が解除されない状態を維持し小径ディスクの挿入を阻止することができる。
【００１１】
【発明の実施の形態】
以下、本発明によるディスクローディング機構の実施の形態を、例えばディスク径が１２ｃｍの携帯型のディスク再生装置のディスクローディング機構を例にとって図面を参照して説明する。
【００１２】
図１はディスクローディング機構の平面図、図２は同じく筐体を仮想線で示しディスクローディング機構をディスク挿入口側から見た正面図、図３は同じく筐体を仮想線で示しディスクローディング機構を側面から見た側面図である。
【００１３】
符号１が筐体を構成する外装体であり、この外装体１にディスク挿入口２がある。外装体１の底部にはターンテーブル３が配設されている。ターンテーブル３と対峙するように外装体１の天板１ａ側にあってターンテーブル３の左右両側に可動レバーとなる一対の揺動レバー４ａ，４ｂが配置されている。両揺動レバー４ａ，４ｂの基端部にはそれぞれギア５ａ，５ｂを有し、外装体１の天面側に支持された第１の支点軸６，６を中心にして回動可能に保持されている。
【００１４】
上述したギア５ａ，５ｂには一枚のラック板７が噛み合っている。ラック板７を詳しく説明すると、ラック板７はその両端側に形成した一対の長孔８，８が外装体１の天板１ａ側に支持されたピン９，９により斜めに傾斜して保持されている。ラック板７の一方の辺に形成したラック歯１０ａが一方の揺動レバー４ａのギア５ａに噛み合い、ラック１０ａと対角するラック板７の他方の辺に形成したラック歯１０ｂが他方の揺動レバー４ｂのギア５ｂに噛み合っている。
【００１５】
そして、上述したラック板７はばね掛け片７ａに引っ張りばね１１の一端が支持され、他端が外装体１の天板１ａ側に形成した図示しないばね掛け片に支持されている。これにより、ラック板７は矢印Ａ方向へばね付勢されることで、ラック歯１０ａに噛み合っているギア５ａを介して一方の揺動レバー４ａを矢印Ｂ方向、つまり時計回り方向へ付勢させている。これに対して、ラック歯１０ｂに噛み合っているギア５ｂを介して他方の揺動レバー４ｂを矢印Ｃ方向、つまり反時計回り方向へ付勢させている。
【００１６】
一方、両揺動レバー４ａ，４ｂの先端部にはそれぞれ第２の支点軸１２，１２によりフック板１３ａ，１３ｂが回動可能に支持され、両フック板１３ａ，１３ｂにはそれぞれ対向し合うようにフック片１４ａ，１４ｂが形成されている。
【００１７】
また、両フック板１３ａ，１３ｂの裏面には上述した第２の支点軸１２，１２の位置を基点として外方へ傾斜するようにした、いわゆる「ハ」の字形状を呈するようにしたガイド部材１５ａ，１５ｂが一体に垂設され、それぞれの先端部分に丸い膨出部１６ａ，１６ｂに形成されている。このガイド部材１５ａ，１５ｂの端面には後述するディスクＤの外周部分を保持するフランジ状受け部１７ａ，１７ｂが形成されている。
【００１８】
そして、上述した揺動レバー４ａ，４ｂと両ガイド部材１５ａ，１５ｂとのそれぞれの間には第２の支点軸１２，１２に挿着するように捩じりばねが取り付けられている。この様子を図４に示した揺動レバー４ａ側について説明すると、捩じりばね１８はその一端部１８ａが揺動レバー４ａの掛止め孔１９に支持され、他端部１８ｂがフック板１３ａの掛止め孔２０に支持されている。
【００１９】
これにより、一方のフック板１３ａは捩じりばねのばね力により時計回り方向へ付勢されフック片１４ａが係止部２１に係止され、他方のフック板１３ｂが捩じりばねのばね力により反時計回り方向へ付勢されフック片１４ｂが係止部２２に係止され、両揺動レバー４ａ，４ｂをほぼ平行な姿勢に保持している。
【００２０】
次に、ディスクＤのローディング動作を図５〜図８を参照して説明する。
図５において、ディスク径が１２ｃｍのディスクＤが挿入口２から挿入されると、ディスク外周部が両ガイド部材１５ａ，１５ｂの先端部の丸い膨出部１６ａ，１６ｂに接触されることで、両ガイド部材１５ａ，１５ｂと共にフック板１３ａ，１３ｂが第２の支点軸１２，１２を支点にして捩じりばねのばね力に抗して回動し、フック片１４ａ，１４ｂが係止部２１，２２から離脱する。
【００２１】
ディスクＤがさらに挿入されていくことで、フック板１３ａ，１３ｂを介して両揺動バー４ａ，４ｂは図６に示すように、ギア５ａ，５ｂがラック板７に噛み合いながら転動し第１の支点軸６，６を支点にして外方側へ押し広げられる。この際、ディスクＤの外周部分はフック板１３ａ，１３ｂのガイド部材１５ａ，１５ｂに接触している状態であるが、ディスクＤをやや下向きに傾いた姿勢で挿入された状態であってもガイド部材１５ａ，１５ｂの端部に設けられているフランジ状受け部１７ａ，１７ｂにディスク外周部分が保持され、ほぼ水平な姿勢で挿入することができる。
【００２２】
そして、ディスクＤが図７の状態からガイド部材１５ａ，１５ｂをディスクＤの最外径部Ｐ，Ｐが通過した時点で、両揺動レバー４ａ，４ｂの矢印Ｂ，Ｃ方向への付勢力によりディスクＤは図８に示すようにローディング位置に引き込まれる。このあと、例えば外装体１の天板１ａを閉止することでローディング機構と共にディスクＤが下降しディスクセンター孔ｄがターンテーブル３にチャッキングされ装填することができる。
【００２３】
そして、上述したようにディスクＤがターンテーブル３にチャッキングされ装填された動作のあと、ディスクＤの外周部分を保持していたガイド部材１５ａ，１５ｂが図示しない離脱機構によりディスク外周部分から離れる。
【００２４】
尚、ディスクＤのエジェクト動作は、外装体１の最奥部にあってディスクの先端外周部分に位置している図示しないエジェクト機構を外装体１に設けられているレバー等の操作により後退させる動作に連動してディスク挿入口２が開きディスクＤは挿入口２から排出される。この際、揺動レバー４ａ，４ｂ及びフック板１３ａ，１３ｂはディスクの挿入動作と逆の動作が行われ図１の位置に復帰する。
【００２５】
ここで、図９はディスク径が１２ｃｍのローディング機構にディスク径が小径の例えば８ｃｍのディスクＤ１を誤って挿入しようとしたときの説明図である。
【００２６】
ディスクＤ１が挿入されると、ディスク外周部分はガイド部材１５ａ，１５ｂの先端部である丸い膨出部１６ａ，１６ｂに接触されることなく、ガイド部材１５ａ，１５ｂの基端部１６ｃ，１６ｄに接触することになり、このため、フック板１３ａ，１３ｂは回動することなくフック片１４ａ，１４ｂが係止部２１，２２に係合（ロック）されたままの状態を維持し、ディスクＤ１の挿入を阻止し誤挿入を防止することができることである。
【００２７】
上述したように本発明によるディスクローディング機構は、ディスク挿入口２から挿入されたディスクＤがその外周部分をフック板１３ａ，１３ｂにより保持され、一対の揺動レバー４ａ，４ｂを押し広げられてローディング位置に装填されるようにしたことで、ディスク記録面がローディング機構の構成部材に接触することもなく、ディスク記録面の傷等の損傷を防止し情報の読み込みエラーを回避することができる。
【００２８】
また、ローディング機構に未対応のディスク径が小径のディスクＤ１が誤って挿入された場合、フック板１３ａ，１３ｂが係止部２１，２２に係止（ロック）された状態のままとなって挿入不能となり、小径のディスクの誤挿入を防止することができる。
【００２９】
本発明は、上述しかつ図面に示した実施の形態に限定されるものでなく、その要旨を逸脱しない範囲内で種々の変形実施が可能である。
【００３０】
本例の実施の形態では、一対の揺動レバー４ａ，４ｂを接近する方向に付勢する機構として、その基端部に設けたギア５ａ，５ｂにラック板７を噛み合わせ、ラック板７を引っ張りばね１１により付勢させるようにしたが、この機構に限定されるものでなく、揺動レバー４ａ，４ｂを接近する方向に付勢するものであれば別の機構を採用することであってもよい。
【００３１】
また、ガイド部材１５ａ，１５ｂは必ずしも「ハ」の字形に限定するものでなく、第２の支点軸１２，１２を支点部分として斜め外方側へ延出するような部材があればよく同様の動作を得ることができる。
【００３２】
さらに、本発明のディスクローディング機構は、携帯型のディスク再生装置に適用した例について説明したが、勿論、据置き型のディスク再生装置のディスクローディング機構にも適用可能であり、しかも、ディスク再生装置に限定することなく、ディスク記録再生装置のディスクローディング機構にも広く適用可能である。
【００３３】
【発明の効果】
以上説明したように本発明によるディスクローディング機構は、筐体内に配置されたターンテーブルと対峙し、ターンテーブルの両側に配置されてギアを有する第１の支点軸を中心に揺動し先端部がディスク挿入口側に延出している一対の可動レバーと、可動レバーの両ギアに噛み合い、第１のばね部材により一対の可動レバーを接近する方向に付勢しているラック部と、可動レバーの先端部に有する第２の支点軸を中心に回動し第２のばね部材により係止部にロックする方向に付勢しているフック部と、フック部の第２の支点軸を支点にして垂設され、ディスク挿入口から挿入された対応するディスクの外周部分が接触しフック部をロック解除方向へ回動するガイド部とから構成したことで、ディスク記録面がローディング機構の構成部材に接触することもなく、ディスク記録面の傷等の損傷を防止し情報の読み込みエラーを回避することができるといった効果がある。
【００３４】
また、特にローディング機構に未対応のディスク径が小径のディスクが誤って挿入された場合、フック板が係止部に係止された状態のままとなって挿入不能となり、小径のディスクの誤挿入を防止することができるといった効果がある。
【図面の簡単な説明】
【図１】本発明によるディスクローディング機構の平面図である。
【図２】外装体を仮想線で示したローディング機構をディスク挿入口側から見た正面図である。
【図３】同じく外装体を仮想線で示したローディング機構を側方から見た側面図である。
【図４】揺動レバーとガイド部材を有するフック板及び捩じりばねとを分離した状態の斜視図である。
【図５】ローディング機構に対応するディスクを挿入した直後の動作状態の平面図である。
【図６】同じくローディング機構にディスクの挿入途中の動作状態の平面図である。
【図７】同じくローディング機構にディスクの挿入途中の動作状態の平面図である。
【図８】同じくローディング機構にディスクがローディング完了された動作状態の平面図である。
【図９】ローディング機構に未対応の小径のディスクを挿入しようとしたときの誤挿入防止動作状態の平面図である。
【符号の説明】
１…外装体、２…ディスク挿入口、３…ターンテーブル、４ａ，４ｂ…揺動レバー、５ａ，５ｂ…ギア、６…第１の支点軸、７…ラック板、１０ａ，１０ｂ…ラック歯、１１…引っ張りばね、１２…第２の支点軸、１３ａ，１３ｂ…フック板、１４ａ，１４ｂ…フック片、１５ａ，１５ｂ…ガイド部材、１７ａ，１７ｂ…フランジ状受け部、１８…捩じりばね、２１，２２…係止部、Ｄ…ディスク、Ｄ１…未対応の小径ディスク
【図１】
2005018846.tif 000003
【図２】
2005018846.tif 000004
【図３】
2005018846.tif 000005
【図４】
2005018846.tif 000006
【図５】
2005018846.tif 000007
【図６】
2005018846.tif 000008
【図７】
2005018846.tif 000009
【図８】
2005018846.tif 000010
【図９】
2005018846.tif 000011